(57)【要約】【課題】万引き行為が行われた際に確実に検出し、かつ多少無理な扱い方をしても誤作動を起こさない上で、ランニングコストの低い盗難検出器を提供する。【解決手段】電気的に警報機と接続された盗難検出器本体１の構成及び、商品の取り付け方法は商品５の直角部分に接合するＬ字型プレート２のスライドレール孔２ａに取り付け方向と直交するスライド溝１ａを持つ盗難検出器本体１を挿入し、盗難検出器本体ジャック１ｂに取り付け状態を検出する導電性金属である検出棒７の丸棒の形状である検出棒上部７ａを挿入し、商品側ジャック５ａに商品側ジャック５ａに係合するプラグと同一の凹凸のある形状である検出棒下部７ｂを挿入し、両面粘着テープ６を取り付けたＬ字型プレート２をスライドさせ、商品５の直角部分に接合させ、商品５に取り付ける。以上の構成により外そうとする力に強い粘着力を持ち、粘着テープ６は市販のものを利用できる。【選択図】　　　　図５
2004145460.tif 000002
【特許請求の範囲】
【請求項１】
警報機と警報機接続プラグ（４）及びコード（３）を介し電気的に接続され、外殻に取り付け方向と直交するスライド溝（１ａ）と内部に盗難検出器本体ジャック（１ｂ）を有する盗難検出器本体（１）であり、該スライド溝（１ａ）に係合するスライドレール孔（２ａ）及び盗難検出器本体着脱孔（２ｂ）を有するＬ字型プレート（２）を該盗難検出器本体（１）にスライドさせ取り付け、該盗難検出器本体ジャック（１ｂ）に検出棒（７）の検出棒上部（７ａ）を挿入し、検出棒下部（７ｂ）を商品側ジャック（５ａ）に挿入する事及び該Ｌ字型プレート（２）に両面粘着テープ（６）で商品（５）に取り付ける事で盗難検出状態を得る事を特徴とする盗難検出器。
【請求項２】
前記検出棒（７）は導電性金属で形成され、検出棒上部（７ａ）が丸棒の形状であり、検出棒下部（７ｂ）は、例えば塩化ビニールの皮膜などで絶縁加工された商品側ジャック（５ａ）に係合するプラグと同一の凹凸のある形状である事を特徴とし、該検出棒（７）が盗難検出器本体（１）の盗難検出器本体ジャック（１ｂ）から外れる事で回路が短絡し電気的に接続された警報機に伝える請求項１記載の盗難検出器。
【発明の詳細な説明】
【０００１】
【発明が属する技術分野】
本発明は、店舗用盗難警報装置において用いることが出来る盗難検出器に関する。
【０００２】
【従来の技術】
従来、主に用いられている技術は、大きく３つのタイプに分けられ第一に商品付設部であるスイッチを有した盗難検出器を専用の両面粘着テープを用い展示商品に貼り付け、そのスイッチが外れＯＦＦの状態になる、またはコードが刃物などにより切られたら、コードを介して電気的に接続された警報機が検出し警報を鳴らすというものである。
【０００３】
第二に検出スイッチ動作部としてピン状の棒を検出スイッチに差し込むことでカッターなどの薄い刃が平面部分に沿って入れられ力がかかると、検出スイッチ動作部であるピン状の棒が折れるようになり、検出スイッチが電気的にＯＦＦの状態となり電気的に接続された警報機が警報を鳴らすようにした技術もある。
【０００４】
第三に盗難検出器のタイプは、ストラップ取り付け金具部分に警報機と電気的に接続したコードを通しコードが断線したら警報機が検出し、警報を鳴らすというものである。
【０００５】
【発明が解決しようとする課題】
従来のスイッチを有した盗難検出器を専用の両面粘着テープを用い商品に貼り付ける盗難検出器のタイプにあっては、専用の両面粘着テープが商品付設部である盗難検出器及び商品取り付け面に挟まれる形となる。両面粘着テープの性質上取り付け面に対し斜め方向、垂直方向の力に弱い事から、盗難検出器に対し主に力がかかるコードを引っ張る等の商品の盗難検出器本体取り付け面に対して斜め方向の力や盗難検出器を外そうとする等の盗難検出器本体取り付け面に対して垂直方向の力がかかる為、従来の両面粘着テープを用いる盗難検出器は、取り付け面から見て垂直方向や斜め方向に力が主にかかる為剥がれ易くスイッチ等の接点が不安定となっている為、顧客の扱い方、または両面粘着テープの粘着力の劣化によっては外れる誤作動が多く警報機が鳴っても、万引きを試みたのか、両面粘着テープの粘着力の劣化によるものなのか、もしくは、顧客の過失によるものなのかの判別が全く出来ないうえ、突然の警報音により顧客の購買意欲をなくさせる恐れがある。このタイプの実際に起きている万引きの手口は、展示商品とスイッチの間の両面粘着テープにカッターのような薄い刃を入れられ、両面粘着テープに刃を残してスイッチがＯＮの状態のまま展示商品を万引きするというものである為、警報機は警報を鳴らさない。また、スイッチ動作部を商品に押し付けＯＮ状態になる構造の為スイッチ動作部をよけて両面粘着テープにより商品に取り付ける必要がある事から専用の両面テープが必要となり店側のランニングコストが大きい。また、そのランニングコストの大きさから店側が市販の両面粘着テープで用い取り付ける事が多く、その場合取り付け面積や粘着力が下がり誤作動の原因になるだけでなく、取り付け方によっては、スイッチ動作部を両面粘着テープが押さえてしまうなど防犯上の問題が生じる。このタイプには、上記の問題点がある。
【０００６】
また、同様に両面粘着テープを用いるタイプで検出スイッチ動作部として樹脂製のピン状の棒を検出スイッチに差し込むことでカッターなどの薄い刃が平面部分に沿って入れられ力がかかると、検出スイッチ動作部であるピン状の棒が折れるようになり検出できるようにしたタイプにおいては、前記した両面粘着テープの取り付け面から見て垂直方向や斜め方向の力に対し剥がれやすいという両面粘着テープの誤作動につながる問題点に加え、力がかかると折れる仕組みになっている検出スイッチ動作部であるピン状の棒は折れやすいように細く不安定である為、例えばコードを引っ張るなどの盗難検出器にかかる力が発端となり、ピン状の棒が折れる事による誤作動の警報が多い、また検出スイッチ動作部であるピン状の棒は、専用の棒であり一度折れると再利用が出来ないことから大きなランニングコストが発生し実際店舗においては、シャープペンシルの芯や丸めたテープを入れることで代用する事が多く、この事がさらなる誤作動を招くだけでなく、防犯上にも大きな問題がある。また、このタイプもまた、検出スイッチ動作部を商品に押し付けＯＮ状態になる構造の為検出スイッチ動作部をよけて両面粘着テープにより商品に取り付ける必要がある事から専用の両面粘着テープが必要となり店側のランニングコストが大きい。また、そのランニングコストの大きさから店側が市販の両面粘着テープで用い取り付ける事が多く、その場合取り付け面積や粘着力が下がり誤作動の原因になるだけでなく、取り付け方によっては、スイッチ動作部を両面粘着テープが押さえてしまうなど防犯上の問題が生じる。このタイプには、上記の問題点がある。
【０００７】
また、ストラップ取り付け金具にコードを通す盗難検出器のタイプにあっては、専用両面粘着テープを用いない為、ランニングコスト及び誤作動が少ないという点では上記のタイプより優れているが、強度の面からコードの太さに制限があるため、例えば近年の小型家電製品等の小さなストラップ取り付け金具に通らない、または通ったとしても強度の点に不安があるという問題点があった。また、最も問題なのは、このタイプに実際に起きている万引きの手口としてペンチ等を用いてコードには触れずに、ストラップ取り付け金具自体を切断し展示商品を万引きするという被害が頻発していることである。この場合も、コードは切れていない為、警報機は警報を鳴らさない。同様に、このタイプを用いると、万引きを行う者がペンチ等で展示商品のストラップ取り付け金具の切断を試みたが何らかの理由で断念したと思われる、ストラップ取り付け金具が切断、またはストラップ取り付け金具に大きな傷のある展示商品が残されることが多く、これらの展示商品は展示商品販売として状態が悪い為に販売が困難なうえにメーカーへの返品も出来ず、店舗の問題在庫として残る物がほとんどである。このタイプには、上記の問題点がある。
【０００８】
本発明は、従来の盗難検出器の盗難検出機能の優れたものほど、誤作動が多い。またランニングコストが大きくなる及び発注してから納品まで時間がかかる等の理由から店側が市販の部材を代用しこれが、さらなる誤作動の増加を招くだけでなく、本来の盗難検出機能を下げる結果となっている従来の悪循環を打開し、高い盗難検出機能であり誤作動が起きなくかつランニングコストの低さ及び必要な際に即座に手に入る速効性を兼ね備えた盗難検出器を提供する事を目的とする。
【０００９】
【課題を解決する為の手段】
上記目的を達成するために、本発明品である盗難検出器は、次の三つの手段を用いた。第一に警報機と警報機接続プラグ・コードを介し電気的に接続された商品付設部である盗難検出器本体は、内部にジャックを有し、盗難検出器本体ジャックに導電性金属である検出棒上部を差し込むことで盗難検出器本体ジャック内部の電気的に警報機と接続された複数の盗難検出器本体ジャック板バネが該検出棒上部を挟み込み通電状態になり、該検出棒上部が前記盗難検出器本体から外れる事で電気的短絡を起こす構造とし、前記盗難検出器本体に該検出棒上部を挿入し通電状態とし、商品側ジャックに前記検出棒の下部を挿入し該商品の盗難検出状態を得る構造とする。
【００１０】
第二に前記導電性金属である前記検出棒上部の形状は、前記盗難検出器本体ジャックに挿入される側が凹凸のない丸棒の形状であり、商品側ジャックに挿入される前記検出棒下部の形状は該商品側ジャックに係合する凹凸のあるプラグと同一の形状である。また該商品側ジャックに挿入される該検出棒下部は、例えば塩ビ皮膜などによる絶縁加工を施す。
【００１１】
第三に前記商品付設部である盗難検出器本体の外殻に前記検出棒の挿入方向と直交するスライド溝を設ける。またＬ字の形状であり直角部分を境にレール面及び商品貼り付け面となるＬ字型プレートの該レール面は、前記外殻の溝に係合するレールを内側に持ち前記盗難検出器本体が該Ｌ字型プレートの該レール面でスライドする。また、該Ｌ字型プレートの前記商品貼り付け面は、両面粘着テープを用い該Ｌ字型プレートの取り付け面からみて直角部分が商品直角部分に接合する事で該商品に貼りつく構造とし該両面粘着テープは前記商品側ジャックに挿入された前記検出棒に対し平行の位置関係を持つ。
【００１２】
【発明の実施と形態】
発明の実施の形態を実施例にもとづき図面を参照して説明する。
図１において警報機へ警報機接続プラグ４及びコード３を介し電気的に接続された盗難検出器本体１は、内部に盗難検出器本体ジャック１ｂを持ち、Ｌ字型プレート２のスライドレール孔２ａに係合するスライド溝１ａを持つ。
【００１３】
図２において導電性の金属である検出棒７は、検出棒上部７ａと検出棒下部７ｂから構成され盗難検出器本体ジャック１ｂに挿入される検出棒上部７ａは凹凸のない丸棒の形状であり、電気的に導電状態である。例えば塩ビ皮膜などの絶縁加工を施された検出棒下部７ｂは、電気的に絶縁状態であり、商品側ジャック５ａに係合するプラグと同一の凹凸のある形状である。
【００１４】
図３において、　Ｌ字型プレート２は、盗難検出器本体１のスライド溝１ａに係合するスライドレール孔２ａと、該Ｌ字型プレート２の直角部を境にスライドレール孔２ａと繋がる盗難検出器本体着脱孔２ｂを持ち、両面粘着テープ貼り付け面２ｃに両面粘着テープ６を用い商品５に取り付け固定を行う。
【００１５】
図４は、盗難検出器本体１をＬ字型プレート２の盗難検出器本体着脱孔２ｂから挿入し盗難検出器本体ジャック１ｂに検出棒上部７ａを挿入し検出棒下部７ｂを商品側ジャック５ａに挿入し、Ｌ字型プレート２の両面粘着テープ貼り付け面２ｃに取り付けられた両面粘着テープ６により商品５に貼り付け、固定された盗難検出器本体１の実施例である。この状態において警報機接続プラグ４及びコード３を介し警報機と電気的に接続された盗難検出器本体１は、導電性金属である検出棒７が盗難検出器本体ジャック１ｂに挿入されている為電気的に通電状態となり盗難検出状態である。
【００１６】
図５は、図４で示した実施例の商品側ジャック５ａと盗難検出器本体１及び検出棒７の縦断面図であり、盗難検出器１の盗難検出器本体ジャック１ｂに挿入された導電性金属である検出棒上部７ａが複数の盗難検出器本体ジャック板バネ１ｃに挟まれる事で盗難検出器本体ジャック１ｂは電気的に通電し盗難検出状態となる。また、検出棒下部７ｂは、絶縁加工を施されており商品５に対し電気的影響を与えない。Ｌ字型プレート２の両面粘着テープ貼り付け面２ｃは両面粘着テープを用いて商品５にスライドし取り付けられる。この際、検出棒７に対し平行の位置関係になる。
【００１７】
図６において盗難検出器本体１を持ち上げ外そうとした際、検出棒７の検出棒上部７ａは、凹凸のない丸棒の形状である為、盗難検出器本体１から抜けるのに対し、検出棒下部７ｂは、商品側ジャック５ａに係合するプラグと同一の凹凸のある形状であり商品側ジャック５ａに挿入された際に商品側ジャック５ａ内部の複数の商品側ジャック板バネ５ｂにより検出棒下部７ｂの凹凸部分が、保持される為、検出棒７は商品側ジャック５ａに挿入されたままとなる。この状態において、盗難検出器本体１は、電気的に短絡する事で、コード３・警報機接続プラグ４を介し電気的に接続された警報機が感知し警報を鳴らす。
【００１８】
【発明の効果】
本発明は、以上説明したように構成されているので以下に記載されるような効果を奏する。
【００１９】
盗難検出性能において、現在行われている警報機を鳴らさない万引きの手口であるカッターのような薄い刃を検出スイッチ動作部の下側に滑り込ませ、検出スイッチ動作部がＯＮの位置のまま万引きを行うというのは、この場合カッターのような薄い刃が検出棒により遮られ、検出棒の通電状態を保ったまま、盗難検出器だけを外す事が不可能である。またストラップ金具取り付けのループ状のコードタイプに起きている万引きの手口であるペンチ等を用いてコードには触れずに、ストラップ取り付け金具自体を切断し展示商品を万引きするという手口は商品側ジャックに取り付ける事で商品及び本考案の盗難検出器に該当する箇所が存在しない為この手口は実行不可能である。
【００２０】
また、誤作動防止性能において、両面粘着テープの性質上取り付け面に対し斜め方向、垂直方向に引く力に弱く、取り付け面に対し水平方向に引く力に対し最も粘着力を発揮するという性質がある。本発明の盗難検出器は、Ｌ字型プレートに両面粘着テープを貼りＬ字型プレートを商品の直角面に押し当て固定することで例えば最も力がかかりやすいコード及び盗難検出器本体を引っ張られた場合において、両面粘着テープの取り付け面からみて水平方向の力として強い固定力を持たせる事が出来る。また、コード及び盗難検出器本体を引っ張る力が斜め方向であっても
盗難検出器本体に挿入された検出棒が抵抗し、その結果として両面粘着テープには取り付け面からみて水平方向の力しかかからない為、この場合も同様に強い固定力を持つ為、誤作動を大幅に抑止する。
【００２１】
また、従来の両面粘着テープを用いた盗難検出器は、専用の両面粘着テープの中央にスイッチ動作部を通す為の穴のある両面粘着テープが必要であるのに対し、本発明の盗難検出器で用いる両面粘着テープは、穴の必要がなくより広い粘着面を得る事が可能な為、強い粘着力を得る事から誤作動を抑止する。また、従来の専用の両面粘着テープを用いるタイプと異なり、　両面粘着テープの中央にスイッチ動作部を通す為の穴が必要ないことから、安価な市販のロール状の両面粘着テープを用いても誤作動及び防犯上全く問題が出ない。一般の店舗で購入可能な市販の両面粘着テープは、ランニングコストを抑える効果と必要な際に即座に購入できるという速効性に優れるという効果を備え、その効果により店側が心理的に両面粘着テープの交換を行い易くする事で、老朽化による両面粘着テープの粘着力低下など誤作動の原因を未然に防ぐ効果をも奏する。
【００２２】
また、本発明の盗難検出器は、金属製の検出棒を使用し盗難検出器本体ジャックに挿入する事で盗難検出器本体ジャック内において複数の盗難検出器本体ジャック板バネに検出棒上部が挟みこまれる事で従来のスイッチを用いるタイプと比べ高ストロークで安定した通電環境を得る事が可能であると同時に金属製の検出棒は破損の恐れがなく誤作動を起こしにくく、ランニングコストがかからない安定した盗難検出効果を奏する。
【図面の簡単な説明】
【図１】盗難検出器の商品取り付け面から見た斜視図である。
【図２】検出棒の斜視図である
【図３】Ｌ字型プレートを商品取り付け面から見た斜視図である。
【図４】取り付けられた盗難検出器の実施例である。
【図５】盗難検出器取り付け時の商品側ジャック部分と盗難検出器及び検出棒の縦断面図である。
【図６】盗難検出器本体を持ち上げ外そうとした縦断面図である。
【符号の説明】
１　　　　　　盗難検出器本体
１ａ　　　　　スライド溝
１ｂ　　　　　盗難検出器本体ジャック
１ｃ　　　　　盗難検出器本体ジャック板バネ
２　　　　　　Ｌ字型プレート
２ａ　　　　　スライドレール孔
２ｂ　　　　　盗難検出器本体着脱孔
２ｃ　　　　　両面粘着テープ貼り付け面
３　　　　　　コード
４　　　　　　警報機接続プラグ
５　　　　　　商品
５ａ　　　　　商品側ジャック
５ｂ　　　　　商品側ジャック板バネ
６　　　　　　両面粘着テープ
７　　　　　　検出棒
７ａ　　　　　検出棒上部
７ｂ　　　　　検出棒下部
【図１】
2004145460.tif 000003
【図２】
2004145460.tif 000004
【図３】
2004145460.tif 000005
【図４】
2004145460.tif 000006
【図５】
2004145460.tif 000007
【図６】
2004145460.tif 000008